(57)【要約】【課題】  配線径が異なる場合であっても、精度よく電流を計測できるように、配線の中心を電流センサの中心位置へ案内するために配線を押さえることができること。【解決手段】  本発明の配線押さえ治具は、上記課題を解決するために、配線を案内するための案内溝を持つ配線押さえ台と、前記案内溝に前記配線を押し込むための突出部分及び前記配線を前記案内溝内の前記所定の位置に保持するための突起部を持つ配線押さえ蓋と、前記配線から発生する磁界を検出する電流センサと、前記配線押さえ台と前記配線押さえ蓋の間に配置され、前記配線押さえ蓋の突起部と係合する複数の凹凸部を持つ配線押さえ材であって、前記突出部分が、前記配線押さえ材、及び前記配線押さえ材と前記突出部分の間に配置される前記配線を前記案内溝内へ押し込む際に、前記突起部と係合する前記複数の凹凸部の位置が調整される前記配線押さえ材とを備えたことを特徴とする。【選択図】図３
2017161289.tif 000002
【特許請求の範囲】
【請求項１】
配線を流れる電流を電流センサで検出する際に、前記配線を前記電流センサの所定の位置に案内するために該配線を押さえる配線押さえ治具であって、
前記配線押さえ治具は、前記配線を案内するための案内溝を持つ配線押さえ台と、
前記案内溝に前記配線を押し込むための突出部分及び前記配線を前記案内溝内の前記所定の位置に保持するための突起部を持つ配線押さえ蓋と、
前記配線から発生する磁界を検出する電流センサと、
前記配線押さえ台と前記配線押さえ蓋の間に配置され、前記配線押さえ蓋の突起部と係合する複数の凹凸部を持つ配線押さえ材であって、前記突出部分が、前記配線押さえ材、及び前記配線押さえ材と前記突出部分の間に配置される前記配線を前記案内溝内へ押し込む際に、前記突起部と係合する前記複数の凹凸部の位置が調整される前記配線押さえ材とを備えたことを特徴とする配線押さえ治具。
【請求項２】
請求項１に記載の配線押さえ治具において、
前記配線押さえ台の案内溝は、前記配線押さえ台に所定の深さに形成されたＵ字型の凹部であり、
前記配線押さえ蓋は、前記配線押さえ台の凹部と対向する側が山型に形成され、該山型の中央が前記Ｕ字型の凹部に嵌まる突出部分であり、かつ、該山型の両端部の内側には、前記配線押さえ材の複数の前記凹凸部と係合する前記突起部が形成されていることを特徴とする配線押さえ治具。
【請求項３】
請求項２に記載の配線押さえ治具において、
前記電流センサは、前記配線押さえ台の内部の前記Ｕ字型の凹部と隔壁を隔てた両側に設けられていることを特徴とする配線押さえ治具。
【請求項４】
請求項１乃至３のいずれか１項に記載の配線押さえ治具において、
前記配線押さえ材は非磁性フィルム材からなり、該非磁性フィルム材の中央部分で前記配線を支持すると共に、両端部に複数の前記凹凸部が形成されていることを特徴とする配線押さえ治具。
【請求項５】
請求項４に記載の配線押さえ治具において、
前記配線押さえ材の複数の前記凹凸部は、前記非磁性フィルム材に部分的に形成されていることを特徴とする配線押さえ治具。
【請求項６】
請求項２に記載の配線押さえ治具において、
前記配線押さえ台の前記Ｕ字型の凹部に嵌まる前記配線押さえ蓋の突出部分の先端には、切欠きが形成されていることを特徴とする配線押さえ治具。
【請求項７】
請求項１乃至６のいずれか１項に記載の配線押さえ治具において、
前記配線押さえ台は、前記配線押さえ蓋により前記配線と共に押し込まれる際に生じる前記配線押さえ材との摩擦力により保持されていることを特徴とする配線押さえ治具。
【請求項８】
請求項１乃至７のいずれか１項に記載の配線押さえ治具において、
前記配線押さえ台は、非磁性材から成ることを特徴とする配線押さえ治具。
【請求項９】
配線を流れる電流を電流センサで検出する際に、前記配線を電流センサの所定の位置に案内するために該配線を押さえる配線押さえ治具であって、
前記配線押さえ治具は、前記配線を案内するための案内溝を持つ配線押さえ台と、該配線押さえ台の案内溝に前記配線を押し込むために前記案内溝に嵌まる突出部分及び前記配線が前記案内溝内の前記所定の位置に押し込まれたら該配線を保持する突起部を持つ配線押さえ蓋と、該配線押さえ蓋により前記配線押さえ台の案内溝に押し込まれた前記配線から発生する磁界を検出する電流センサと、前記配線押さえ台に沿って配置され、前記配線を前記電流センサの前記所定の位置に捉えるために、長さが調整可能な配線押さえ材とを備え、
前記配線押さえ台の前記配線押さえ蓋の突起部と対向する面に側面凹部を複数設け、前記配線押さえ蓋により前記配線を前記配線押さえ台の案内溝に沿って前記電流センサの前記所定の位置まで押し込む際に、前記配線の径に応じて、前記配線押さえ蓋の突起部と前記側面凹部との前記配線押さえ材を介しての係合位置が調整されることで、前記配線押さえ材長さが調整可能なことを特徴とする配線押さえ治具。
【請求項１０】
配線を流れる電流を電流センサで検出する際に、前記配線を電流センサの所定の位置に案内するために該配線を押さえる配線押さえ治具であって、
前記配線押さえ治具は、前記配線を案内するための案内溝を持つ配線押さえ台と、該配線押さえ台の案内溝に前記配線を押し込むために前記案内溝に嵌まる突出部分及び前記配線が前記案内溝内の前記所定の位置に押し込まれたら該配線を固定する突起部を持つ配線押さえ蓋と、該配線押さえ蓋により前記配線押さえ台の案内溝に押し込まれた前記配線から発生する磁界を検出する電流センサと、前記配線押さえ台に沿って配置され、前記配線を前記電流センサの前記所定の位置に捉えるために、長さが調整可能な配線押さえ材とを備え、
前記配線押さえ材は、その途中に連結部を有してベルト状に形成され、前記配線押さえ蓋により前記配線を前記配線押さえ台の案内溝に沿って前記電流センサの前記所定の位置まで押し込む際に、前記配線の径に応じて、前記ベルト状の連結部で前記配線押さえ材の長さが調整されることを特徴とする配線押さえ治具。
【発明の詳細な説明】
【技術分野】
【０００１】
本発明は配線押さえ治具に係り、例えば、制御盤などの配線の電流を電流センサで検出する際に、当該配線の中心を電流センサの中心位置に案内するために配線を押さえるものに好適な配線押さえ治具に関する。
【背景技術】
【０００２】
従来、リング状のギャップ付鉄芯とホール素子を組み合わせた構造の直流電流センサは、従来から多く商品化されている。特に、リング状の鉄芯を分割して既存の電線に挟む構造のものは、クランプ式電流センサとして、現場での電流モニタリングに活用されている。
【０００３】
ところで、電流センサは、環状とされた磁性体の中心位置に配線を配置しないと、磁性体内に発生する磁束が均一ではなくなり、電流の測定誤差が生じてしまうことが考えられるため、電流センサを使用する際は、配線が電流センサの磁性体の孔の中心に位置するようにできれば、より正確な電流測定ができる。
【０００４】
このようなことから、特許文献１に記載されている電流センサは、配線を案内するためのＵ字型の案内溝を持つケースと、ケースの案内溝に挿入された配線を保持するためにＵ字型の案内溝にはまる突出部分を持ち、かつ、ケースとの間で脱着可能に形成したホルダーと、ケース内において配線の中心に対して等間隔で対抗する位置に配置する配線から発生する磁界を検出する磁気ヘッドと、その磁気ヘッドに作用する磁界を電圧に変換する検出回路とを備え、配線と検出ヘッドの電気的絶縁を確保し、かつ、既存の配線を切断しないことは勿論、経年劣化が発生せず高感度で直線性のよい特性を得ることを特徴としている。
【先行技術文献】
【特許文献】
【０００５】
【特許文献１】特開２００１−１５３８９５号公報
【発明の概要】
【発明が解決しようとする課題】
【０００６】
しかしながら、上記した特許文献１に記載されている電流センサは、径の異なる配線から発生する磁界を検出する場合において、電流センサの中心位置に配線の中心を案内することの対策が施されていないため、上記磁気ヘッドの中心位置へ上記配線の中心を案内することができず、精度よく電流を計測できないという課題がある。
【０００７】
本発明は上述の点に鑑みなされたもので、その目的とするところは、配線の径が異なる場合であっても、精度よく電流を計測できるように、配線の中心を電流センサの中心位置へ案内するために配線を押さえることができる配線押さえ治具を提供することにある。
【課題を解決するための手段】
【０００８】
本発明の配線押さえ治具は、上記目的を達成するために、配線を流れる電流を電流センサで検出する際に、前記配線を前記電流センサの所定の位置に案内するために該配線を押さえる配線押さえ治具であって、前記配線押さえ治具は、前記配線を案内するための案内溝を持つ配線押さえ台と、前記案内溝に前記配線を押し込むための突出部分及び前記配線を前記案内溝内の前記所定の位置に保持するための突起部を持つ配線押さえ蓋と、前記配線から発生する磁界を検出する電流センサと、前記配線押さえ台と前記配線押さえ蓋の間に配置され、前記配線押さえ蓋の突起部と係合する複数の凹凸部を持つ配線押さえ材であって、前記突出部分が、前記配線押さえ材、及び前記配線押さえ材と前記突出部分の間に配置される前記配線を前記案内溝内へ押し込む際に、前記突起部と係合する前記複数の凹凸部の位置が調整される前記配線押さえ材とを備えたことを特徴とする。
【０００９】
また、本発明の配線押さえ治具は、上記目的を達成するために、配線を流れる電流を電流センサで検出する際に、前記配線を電流センサの所定の位置に案内するために該配線を押さえる配線押さえ治具であって、前記配線押さえ治具は、前記配線を案内するための案内溝を持つ配線押さえ台と、該配線押さえ台の案内溝に前記配線を押し込むために前記案内溝に嵌まる突出部分及び前記配線が前記案内溝内の前記所定の位置に押し込まれたら該配線を保持する突起部を持つ配線押さえ蓋と、該配線押さえ蓋により前記配線押さえ台の案内溝に押し込まれた前記配線から発生する磁界を検出する電流センサと、前記配線押さえ台に沿って配置され、前記配線を前記電流センサの前記所定の位置に捉えるために、長さが調整可能な配線押さえ材とを備え、前記配線押さえ台の前記配線押さえ蓋の突起部と対向する面に側面凹部を複数設け、前記配線押さえ蓋により前記配線を前記配線押さえ台の案内溝に沿って前記電流センサの前記所定の位置まで押し込む際に、前記配線の径に応じて、前記配線押さえ蓋の突起部と前記側面凹部との前記配線押さえ材を介しての係合位置が調整されることで、前記配線押さえ材長さが調整可能なことを特徴とする。
【００１０】
更に、本発明の配線押さえ治具は、上記目的を達成するために、配線を流れる電流を電流センサで検出する際に、前記配線を電流センサの所定の位置に案内するために該配線を押さえる配線押さえ治具であって、前記配線押さえ治具は、前記配線を案内するための案内溝を持つ配線押さえ台と、該配線押さえ台の案内溝に前記配線を押し込むために前記案内溝に嵌まる突出部分及び前記配線が前記案内溝内の前記所定の位置に押し込まれたら該配線を固定する突起部を持つ配線押さえ蓋と、該配線押さえ蓋により前記配線押さえ台の案内溝に押し込まれた前記配線から発生する磁界を検出する電流センサと、前記配線押さえ台に沿って配置され、前記配線を前記電流センサの前記所定の位置に捉えるために、長さが調整可能な配線押さえ材とを備え、前記配線押さえ材は、その途中に連結部を有してベルト状に形成され、前記配線押さえ蓋により前記配線を前記配線押さえ台の案内溝に沿って前記電流センサの前記所定の位置まで押し込む際に、前記配線の径に応じて、前記ベルト状の連結部で前記配線押さえ材の長さが調整されることを特徴とする。
【発明の効果】
【００１１】
本発明によれば、配線径が異なる場合であっても、精度よく電流を計測できるように、配線の中心を電流センサの中心位置へ案内するために配線を押さえることができる。
【図面の簡単な説明】
【００１２】
【図１】本発明の配線押さえ治具の実施例１であり、配線押さえ台の案内溝に配線押さえ蓋の突出部分が嵌め込まれる前の状態を示す正面図である。
【図２】図１の右側面図である。
【図３】本発明の配線押さえ治具の実施例１であり、配線押さえ台の案内溝に配線押さえ蓋の突出部分が嵌め込まれた状態を示す正面図である。
【図４】本発明の配線押さえ治具の実施例１であり、配線径が異なる場合の配線押さえ台の案内溝に配線押さえ蓋の突出部分が嵌め込まれた状態を示す正面図である。
【図５】本発明の配線押さえ治具の実施例２であり、配線押さえ台の案内溝に配線押さえ蓋の突出部分が嵌め込まれた状態を示す正面図である。
【図６】本発明の配線押さえ治具の実施例３であり、配線押さえ台の案内溝に配線押さえ蓋の突出部分が嵌め込まれた状態を示す正面図である。
【発明を実施するための形態】
【００１３】
以下、図示した実施例に基づいて本発明の配線押さえ治具を説明する。なお、各実施例において、同一構成部品には同符号を使用する。
【実施例１】
【００１４】
図１及び図２は、本発明の配線押さえ治具の実施例１であり、後述する配線押さえ治具の案内溝に配線押さえ蓋の突出部分が嵌め込まれる前の状態を示す。
【００１５】
該図に示す如く、本実施例の配線押さえ治具１０Ａは、配線１を案内するための案内溝３Ａを持つ配線押さえ台３と、この配線押さえ台３の案内溝３Ａに配線１を押し込むために案内溝３Ａに嵌まる突出部分５Ａ及び配線１が案内溝３Ａ内の所定の位置に押し込まれたら配線１を保持する突起部である配線押さえ止め部７Ａ、７Ｂを持つ配線押さえ蓋５と、この配線押さえ蓋５により配線押さえ台３の案内溝３Ａに押し込まれた配線１から発生する磁界を検出する電流センサである高感度センサ（例えば、磁気センサ等）２Ａ、２Ｂと、配線押さえ台３に沿って配置され、配線１の中心を高感度センサ２Ａ、２Ｂの中心位置に捉えるために、長さが調整可能で配線押さえ蓋５の配線押さえ止め部７Ａ、７Ｂと係合する複数の凹凸部である配線ロック用突起部６Ａ、６Ｂを持つ配線押さえ材４とから概略構成され、配線押さえ蓋５により配線１を配線押さえ台３の案内溝３Ａに沿って高感度センサ２Ａ、２Ｂの中心位置まで押し込む際に、配線１の径に応じて、配線押さえ蓋５の突起部である配線押さえ止め部７Ａ、７Ｂと配線押さえ材４の複数の凹凸部である配線ロック用突起部６Ａ、６Ｂの係合位置が調整されるようになっている。
【００１６】
配線押さえ台３の案内溝３Ａは、配線押さえ台３の中央に所定の深さに形成されたＵ字型の凹部であり、配線押さえ蓋５は、配線押さえ台３の凹部（案内溝３Ａ）と対向する側が山型に形成され、この山型の中央がＵ字型の凹部（案内溝３Ａ）に嵌まる突出部分５Ａであり、かつ、山型の両端部５Ｂ１、５Ｂ２の内側には、配線押さえ材４の複数の配線ロック用突起部（凹凸部）６Ａ、６Ｂと係合する配線押さえ止め部（突起部）７Ａ、７Ｂが形成されている。
【００１７】
更に詳述すると、配線１から発生する磁界を検出する高感度センサ２Ａ、２Ｂを収納する配線押さえ台３は、プラスチックや樹脂などの電気的絶縁が良好な非磁性材料を使用し、その一部に径の異なる配線１が案内できるＵ字型の凹部（案内溝３Ａ）が形成されている。高感度センサ２Ａ、２Ｂは、配線押さえ台３の内部のＵ字型の凹部（案内溝３Ａ）と隔壁（Ｕ字型の凹部（案内溝３Ａ）の高感度センサ２Ａ、２Ｂの辺）を隔てた両側に設けられている。
【００１８】
また、高感度センサ２Ａ、２Ｂに対して配線１の位置がずれることで検出精度に誤差が生じるため、配線１の中心位置を決定するための長さ調整を可能とする配線押さえ材４を、配線押さえ台３のＵ字型の凹部（案内溝３Ａ）を通る位置へ設置し、配線押さえ台３のＵ字型の凹部（案内溝３Ａ）と配線押さえ材４を設置した上部位置へ配線１を設置する。
【００１９】
なお、配線押さえ材４は軟質の非磁性体フィルム材料から成り、その中央部分で配線１を支持すると共に、両端部の外側に複数の配線ロック用突起部（凹凸部）６Ａ、６Ｂが形成されている。この配線押さえ材４の複数の配線ロック用突起部（凹凸部）６Ａ、６Ｂは、非磁性フィルム材に部分的に一体となって形成されている。
【００２０】
次に、上述した本実施例の配線押さえ治具１０Ａの動作を説明する。
【００２１】
図１及び図２の配線押さえ台３の案内溝３Ａに配線押さえ蓋５の突出部分５Ａが嵌め込まれる前の状態から、図３に示す配線押さえ台３のＵ字型の凹部（案内溝３Ａ）に配線１と配線押さえ材４を押さえ付けながら挿入すると、配線押さえ蓋５により高感度センサ２Ａ、２Ｂの中心位置まで配線１と配線押さえ材４が案内される。高感度センサ２Ａ、２Ｂの中心位置まで案内された配線１は、配線押さえ材４に設けた配線ロック用突起部（凹凸部）６Ａ、６Ｂと配線押さえ蓋５の山型の両端部５Ｂ１、５Ｂ２の内側に設けられた配線押さえ止め部（突起部）７Ａ、７Ｂにより、高感度センサ２Ａ、２Ｂの中心位置で固定（保持）される。この時、配線押さえ台３は、配線押さえ蓋５による配線１と共に押し込まれる（押圧される）際に生じる配線押さえ材４との摩擦力により保持されている。
【００２２】
また、図４に示すように、図１、図２及び図３で用いた配線１とは直径の異なる配線８の電流を検出する場合には、長さ調整を可能とする配線ロック用突起部（凹凸部）６Ａ、６Ｂと配線押さえ蓋５の山型の両端部５Ｂ１、５Ｂ２の内側に設けられた配線押さえ止め部（突起部）７Ａ、７Ｂの係合位置を変えることにより、高感度センサ２Ａ、２Ｂの中心位置へ直径の異なる配線８の中心を合わせることができ、直径の異なる配線８であっても、その位置を調節することができる。
【００２３】
このような本実施例の構成とすることにより、高感度センサ２Ａ、２Ｂの中心位置を捉えるための複数の長さ調節可能な配線ロック用突起部（凹凸部）６Ａ、６Ｂを有する配線押さえ材４を用いることで径の異なる配線においても、配線１、８の中心を高感度センサ２Ａ、２Ｂの中心位置へ案内することができ、精度よく電流の計測が可能となる。
【００２４】
よって、本実施例によれば、配線径が異なる場合であっても、精度よく電流を計測できるように、配線１、８の中心を高感度センサ２Ａ、２Ｂの中心位置へ案内するために配線１、８を押さえることができる。
【００２５】
なお、特に図示しないが、配線押さえ台３のＵ字型の凹部（案内溝３Ａ）に嵌まる配線押さえ蓋５の突出部分５Ａの先端に切欠きを設けることにより、配線１、８の横方向への移動が配線押さえ蓋５の突出部分５Ａの先端に切欠きで防止されるので、より効果的である。
【実施例２】
【００２６】
図５に、本発明の配線押さえ治具の実施例２を示す。
【００２７】
該図に示す如く、本実施例の配線押さえ治具１０Ｂは、配線押さえ台３の配線押さえ蓋５の突起部である配線押さえ止め部７Ａ、７Ｂと対向する面に側面凹部９Ａ、９Ｂを複数設け、配線押さえ蓋５により配線１を配線押さえ台３のＵ字型の凹部（案内溝３Ａ）に沿って高感度センサ２Ａ、２Ｂの中心位置まで押し込む際に、配線１の径に応じて、配線押さえ蓋５の配線押さえ止め部７Ａ、７Ｂと側面凹部９Ａ、９Ｂとの配線押さえ材４Ａを介しての係合位置を変えることにより、配線押さえ材４Ａの長さが調整可能となり、配線径が異なる場合でも、配線１の中心を高感度センサ２Ａ、２Ｂの中心位置へ案内することができる。他の構成は、実施例１と同様である。
【００２８】
このような本実施例の構成とすることにより、実施例１と同様な効果を得ることができることは勿論、配線押さえ台３が配線押さえ蓋５に確実に保持され外れることはない。
【実施例３】
【００２９】
図６に、本発明の配線押さえ治具の実施例３を示す。
【００３０】
該図に示す如く、本実施例の配線押さえ治具１０Ｃは、配線押さえ材４Ｂが、その途中に面ファスナーのような連結部４Ｃを有してベルト状に形成され、配線押さえ蓋５により、配線１を配線押さえ台３のＵ字型の凹部（案内溝３Ａ）に沿って高感度センサ２Ａ、２Ｂの中心位置まで押し込む際に、配線１の径に応じて、ベルト状の連結部４Ｃで配線押さえ材４Ｂの長さを変えることにより長さが調整され、配線径が異なる場合でも、配線１の中心を高感度センサ２Ａ、２Ｂの中心位置へ案内することができる。他の構成は、実施例１と同様である。
【００３１】
このような本実施例の構成とすることにより、実施例１と同様な効果を得ることができることは勿論、実施例２のような側面凹部９Ａ、９Ｂを加工する必要がなくなる。
【００３２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３３】
１、８…配線、２Ａ、２Ｂ…高感度センサ、３…配線押さえ台、３Ａ…配線押さえ台の案内溝、４、４Ａ、４Ｂ…配線押さえ材、４Ｃ…配線押さえ材の連結部、５…配線押さえ蓋、５Ａ…配線押さえ蓋の突出部分、５Ｂ１、５Ｂ２…配線押さえ蓋の山型の両端部、６Ａ、６Ｂ…配線ロック用突起部（凹凸部）、７Ａ、７Ｂ…配線押さえ用止め部（突起部）、９Ａ、９Ｂ…配線押さえ台の側面凹部、１０Ａ、１０Ｂ、１０Ｃ…配線押さえ治具。
【図１】
2017161289.tif 000003
【図２】
2017161289.tif 000004
【図３】
2017161289.tif 000005
【図４】
2017161289.tif 000006
【図５】
2017161289.tif 000007
【図６】
2017161289.tif 000008